(57)【要約】【課題】電子機器において使用される仮想チャンネル管理の方法を提供する。【解決手段】仮想チャンネル管理を示す少なくとも１つのコマンドが検出される。仮想チャンネルデータの管理が、上記少なくとも１つのコマンドに従って実行され、次に、更新仮想チャンネルデータが生成される。仮想チャンネルデータの同期が、更新仮想チャンネルデータをネットワークベースのマルチメディア再生システムに無線で送信することにより実行され、それにより、ネットワークベースのマルチメディア再生システムが、更新仮想チャンネルデータに従って仮想チャンネル動作モードを提供するようになる。仮想チャンネルデータの管理は、仮想チャンネルの追加、削除及び修正のうちの少なくとも１つを含む。更新仮想チャンネルデータは、仮想チャンネルの属性データを含み、属性データはビデオ及びオーディオの少なくとも１つのリンクを含む。【選択図】図４
2014176082.tif 000002
【特許請求の範囲】
【請求項１】
電子機器において使用される仮想チャンネル管理の方法であって、
（ａ）仮想チャンネル管理に関する少なくとも１つのコマンドを検出するステップと、
（ｂ）前記少なくとも１つのコマンドに従って、前記電子機器に記憶されている仮想チャンネルデータに対して管理を実行し、更新仮想チャンネルデータを生成するステップと、
（ｃ）前記更新仮想チャンネルデータをネットワークベースのマルチメディア再生システムに無線で送信して、仮想チャンネルデータの同期を実行し、それによって、前記ネットワークベースのマルチメディア再生システムが、前記更新仮想チャンネルデータに従って仮想チャンネル動作モードを提供するのを容易にするステップと、
を含み、
前記仮想チャンネルデータに対して実行される前記管理は、複数の動作のうちの少なくとも１つを含み、該複数の動作は、仮想チャンネルの追加動作、仮想チャンネルの削除動作、及び仮想チャンネルの修正動作を含み、前記更新仮想チャンネルデータは仮想チャンネルに対応する属性データを含み、該仮想チャンネルに対応する該属性データは、少なくとも１つのオーディオ−ビデオソースリンクを含む、
仮想チャンネル管理の方法。
【請求項２】
前記少なくとも１つのコマンドは、第１の検索基準について第１の仮想チャンネルを追加することを示し、前記仮想チャンネルデータは、前記仮想チャンネルの追加動作を含む少なくとも１つの動作により更新され、前記ステップ（ｂ）は、
前記第１の検索基準を満たす１つ又は複数の番組を求めて、前記電子機器に記憶されている前記仮想チャンネルデータを検索して、第１の検索結果を取得するとともに、前記第１の検索基準を満たす外部ネットワークオーディオ−ビデオコンテンツを求めて検索して、第２の検索結果を取得するステップであって、前記第１の検索基準はキーワードを含むステップと、
前記第１の検索結果及び前記第２の検索結果を組み合わせることにより、番組リストを生成するステップであって、該番組リストは前記キーワードに対応する複数の番組を含むステップと、
仮想チャンネルを前記仮想チャンネルデータに追加することにより、前記更新仮想チャンネルデータを生成するステップであって、前記仮想チャンネルの番組コンテンツは前記番組リストのコンテンツに対応するステップと、
を更に含む、請求項１に記載の方法。
【請求項３】
前記ステップ（ｃ）の前に、前記方法は、
（ｂ１）前記更新仮想チャンネルデータが生成された後、アプリケーションを使用することにより、ネットワークベースのマルチメディア再生システムを求めて無線ネットワークを検索するように前記電子機器を制御するステップと、
（ｂ２）前記アプリケーションを使用することにより、前記検索中に見つかった第１のネットワークベースのマルチメディア再生システムへのリンクを生成するための接続要求を送信するステップであって、前記第１のネットワークベースのマルチメディア再生システムは、前記仮想チャンネルデータの同期を実行する前記ネットワークベースのマルチメディア再生システムと同じであるステップと、
を更に含み、
前記検索中に見つかった任意の他のネットワークベースのマルチメディア再生システムがある場合、前記検索中に見つかった前記ネットワークベースのマルチメディア再生システムに対して前記ステップ（ｂ２）及び（ｃ）を実行する、
請求項１に記載の方法。
【請求項４】
前記更新仮想チャンネルデータは、共用仮想チャンネルリスト及び個人用仮想チャンネルリストを含み、前記ステップ（ｃ）は、
前記ネットワークベースのマルチメディア再生システムとの前記共用仮想チャンネルリストの同期を実行するステップと、
前記ネットワークベースのマルチメディア再生システムとの前記個人用仮想チャンネルリストの同期を実行するステップと、
を含む、請求項３に記載の方法。
【請求項５】
電子機器により実行されると、該電子機器に請求項１〜４のいずれか一項に記載の仮想チャンネル管理の方法を実行させる、１つ又は複数のプログラムモジュールのプログラムコードを記憶したコンピューター可読記憶媒体。
【請求項６】
ネットワークベースのマルチメディア再生システムにおいて使用される仮想チャンネル管理の方法であって、
前記ネットワークベースのマルチメディア再生システムにおいて、
（ａ）仮想チャンネル動作モードを提供するステップであって、該仮想チャンネル動作モードは、仮想チャンネルデータを管理する動作モード及び仮想チャンネルコンテンツを再生する動作モードを含むステップと、
（ｂ）同期基準が満たされる場合、無線ネットワークの電子機器を検索するステップと、
（ｃ）前記検索により見つかった第１の電子機器とリンクするための接続要求を送信するステップと、
（ｄ）仮想チャンネルデータを前記第１の電子機器に無線で送信することにより、仮想チャンネルデータの同期を実行し、それにより、前記第１の電子機器が、前記仮想チャンネルデータに従って前記仮想チャンネルデータを管理する動作モードを提供するようにするステップと、
を含み、
前記仮想チャンネルデータを管理する動作モードは複数の動作を含み、該複数の動作は、仮想チャンネルの追加動作、仮想チャンネルの削除動作、及び仮想チャンネルの修正動作を含み、前記仮想チャンネルデータは、仮想チャンネルに対応する属性データを含み、該仮想チャンネルに対応する該属性データは、少なくとも１つのオーディオ−ビデオソースリンクを含む、仮想チャンネル管理の方法。
【請求項７】
前記ネットワークベースのマルチメディア再生システムの検出ユニットにより、物理的物体がある範囲内にあるか否かを検出すステップを更に含み、
前記同期基準は、前記物理的物体が前記範囲内にあるか否かであり、前記範囲内にある場合、前記同期基準が満たされる、請求項６に記載の方法。
【請求項８】
前記物理的物体は人体、人体の一部、又は電子機器である、請求項７に記載の方法。
【請求項９】
前記検出ユニットは、音声の変化を検出することにより、前記物理的物体が前記範囲内にあるか否かを検出し、前記物理的物体は人体である、請求項７に記載の方法。
【請求項１０】
前記仮想チャンネルデータが前記ネットワークベースのマルチメディア再生システムにおいて変更されたか否かを検出するステップを更に含み、
前記同期基準は、前記仮想チャンネルデータが変更されたか否かであり、変更された場合、前記同期基準が満たされる、請求項６に記載の方法。
【請求項１１】
前記ネットワークベースのマルチメディア再生システムにおいて前記仮想チャンネルデータに対して管理を実行し、それにより、前記仮想チャンネルデータを変更するステップを更に含み、前記仮想チャンネルデータに対する前記管理は、前記仮想チャンネルデータを管理する動作モードの動作のうちの少なくとも１つを含む、請求項１０に記載の方法。
【請求項１２】
前記検索中に見つかった任意の他の電子機器がある場合、該他の電子機器のそれぞれに対して前記ステップ（ｃ）及び（ｄ）を実行する、請求項６に記載の方法。
【請求項１３】
前記ネットワークベースのマルチメディア再生システムに、請求項６〜１２のいずれか一項に記載の仮想チャンネル管理の方法を実行させる、１つ又は複数のプログラムモジュールのプログラムコードを記憶したコンピューター可読記憶媒体。
【請求項１４】
ネットワークベースのマルチメディア再生システムであって、
表示ユニットと、
記憶ユニットと、
ネットワークユニットと、
前記ネットワークユニット及び前記表示ユニットに接続されており、仮想チャンネル動作モードを提供するように、少なくとも前記ネットワークユニット及び前記表示ユニットを制御する制御ユニットであって、前記仮想チャンネル動作モードは、仮想チャンネルデータを管理する動作モード及び仮想チャンネルコンテンツを再生する動作モードを含む、制御ユニットと、
を備え、
同期基準が満たされる場合、前記制御ユニットは、
前記ネットワークユニットを利用して、無線ネットワークの電子機器を検索し、
前記ネットワークユニットを利用して、前記検索中に見つかった第１の電子機器とリンクし、
前記ネットワークユニットを利用して、仮想チャンネルデータを前記第１の電子機器に無線で転送して、仮想チャンネルデータの同期を実行し、それにより、前記第１の電子機器が、前記仮想チャンネルデータに従って前記仮想チャンネルデータを管理する動作モードを提供するようにする、
ように前記ネットワークベースのマルチメディア再生システムを制御するように動作可能であり、
前記仮想チャンネルデータを管理する動作モードは複数の動作を含み、該複数の動作は、仮想チャンネルの追加動作、仮想チャンネルの削除動作、及び仮想チャンネルの修正動作を含み、前記仮想チャンネルデータは、仮想チャンネルに対応する属性データを含み、前記仮想チャンネルに対応する前記属性データは、少なくとも１つのオーディオ−ビデオソースリンクを含む、ネットワークベースのマルチメディア再生システム。
【請求項１５】
物理的物体を検出するように動作可能な検出ユニットを更に備え、
前記同期基準は、前記物理的物体がある範囲内にあるか否かであり、前記物理的物体が前記範囲内にある場合、前記同期基準が満たされる、請求項１４に記載のシステム。
【請求項１６】
前記検出ユニットは、前記物理的物体として捉えられるユーザー又は電子機器が前記範囲内にあるか否かを検出するように動作可能な人体検出器である、請求項１５に記載のシステム。
【請求項１７】
前記検出ユニットは、音声の変化を検出して、前記物理的物体として捉えられるユーザーが前記範囲内にあるか否かを検出する音声検出器である、請求項１５に記載のシステム。
【請求項１８】
前記同期基準は、前記仮想チャンネルデータが変更されたか否かであり、変更された場合、前記同期基準は満たされる、請求項１４に記載のシステム。
【請求項１９】
前記検索中に見つかった任意の他の電子機器がある場合、該他の電子機器のそれぞれに対して、前記制御ユニットは、
前記ネットワークユニットを利用して、前記検索中に見つかった別の電子機器とリンクし、
前記ネットワークユニットを利用して、仮想チャンネルデータを前記別の電子機器に無線で転送して、仮想チャンネルデータの同期を実行する、
ように前記ネットワークベースのマルチメディア再生システムを制御するように動作可能である、請求項１４に記載のシステム。
【請求項２０】
前記ネットワークベースのマルチメディア再生システムはスマートテレビ、ネットワークテレビ、又はネットワークベースのマルチメディアプレーヤーである、請求項１４〜１９のいずれか一項に記載のシステム。
【発明の詳細な説明】
【技術分野】
【０００１】
本開示は、包括的にはネットワークベースのマルチメディア再生システムのコンテンツ選択のための方法及び装置に関し、より詳細には、仮想チャンネル管理の方法及び仮想チャンネルを有するネットワークベースのマルチメディア再生システムに関する。
【背景技術】
【０００２】
ブロードバンドインターネットを介するビデオ伝送は現在、ビデオ又はテレビ番組を視聴する普及した代替方法である。インターネットビデオを再生するか、又はインターネットＴＶをスマートテレビで閲覧するために、独自のユーザーインターフェース及びコンテンツ提供方法を有する対応するアプリケーションを、プレインストールするか、又はユーザーがインストールする必要がある。
【０００３】
そのような種類のテレビは一般に、パーソナルコンピューターにおいてアプリケーションを操作する方法に基づいて設計されており、それによってユーザーは所望のコンテンツを単に選択するために、画面を見て、パーソナルコンピューターと同様に気を付けてリモートコントローラーを操作する必要がある。例えば、特許文献１には、スマートテレビに対する一つの方法が記載されている。加えて、インターネットにより多様なコンテンツ及びタイプが提供される状態では、本来意図されたようなテレビの視聴を楽しむリラックスした雰囲気は、深刻で複雑なものになり得る。このようにして、そのようなテレビは、家族又はグループでの使用を難しくし、様々なユーザー、例えば、コンピューターの操作に不慣れなユーザーのニーズを満たすことができない。
【先行技術文献】
【特許文献】
【０００４】
【特許文献１】米国特許第８，４８４，６９２号
【発明の概要】
【発明が解決しようとする課題】
【０００５】
本開示は、仮想チャンネル管理の方法及び仮想チャンネルを有するネットワークベースのマルチメディア再生システムを提供することを目的とする。
【課題を解決するための手段】
【０００６】
本開示の一実施の形態によれば、電子機器において使用される仮想チャンネル管理の方法が提供される。本方法は電子機器における以下のステップを含む。（ａ）仮想チャンネル管理に関する少なくとも１つのコマンドを検出する。（ｂ）前記少なくとも１つのコマンドに従って、前記電子機器に記憶されている仮想チャンネルデータに対して管理を実行して、更新仮想チャンネルデータを生成する。（ｃ）前記更新仮想チャンネルデータをネットワークベースのマルチメディア再生システムに無線で送信して、仮想チャンネルデータの同期を実行し、それによって前記ネットワークベースのマルチメディア再生システムが、前記更新仮想チャンネルデータに従って仮想チャンネル動作モードを提供するのを容易する。前記仮想チャンネルデータに対して実行される前記管理は、複数の動作のうちの少なくとも１つを含み、該複数の動作は、仮想チャンネルの追加動作、仮想チャンネルの削除動作、及び仮想チャンネルの修正動作を含み、前記更新仮想チャンネルデータは仮想チャンネルに対応する属性データを含み、該仮想チャンネルに対応する該属性データは、少なくとも１つのオーディオ−ビデオソースリンクを含む。
【０００７】
別の実施の形態は、電子機器により実行されるとき、該電子機器に、上記の仮想チャンネル管理の方法を実行させる１つ又は複数のプログラムモジュールのプログラムコードを記憶したコンピューター可読記憶媒体を提供する。
【０００８】
別の実施の形態は、ネットワークベースのマルチメディア再生システムにおいて使用される仮想チャンネル管理の方法を提供する。本方法は、ネットワークベースのマルチメディア再生システムにおける以下のステップを含む。（ａ）仮想チャンネル動作モードが提供され、該仮想チャンネル動作モードは、仮想チャンネルデータを管理する動作モード及び仮想チャンネルコンテンツを再生する動作モードを含む。（ｂ）同期基準が満たされる場合、無線ネットワークの電子機器を検索する。（ｃ）前記検索により見つかった第１の電子機器とリンクするための接続要求を送信する。（ｄ）仮想チャンネルデータを前記第１の電子機器に無線で送信することにより、仮想チャンネルデータの同期を実行し、それにより、前記第１の電子機器が、前記仮想チャンネルデータに従って前記仮想チャンネルデータを管理する動作モードを提供するようになる。前記仮想チャンネルデータを管理する動作モードは複数の動作を含み、該複数の動作は、仮想チャンネルの追加動作、仮想チャンネルの削除動作、及び仮想チャンネルの修正動作を含み、前記仮想チャンネルデータは、仮想チャンネルに対応する属性データを含み、該仮想チャンネルに対応する該属性データは、少なくとも１つのオーディオ−ビデオソースリンクを含む。
【０００９】
更に別の実施の形態は、ネットワークベースのマルチメディア再生システムにより実行されるとき、該ネットワークベースのマルチメディア再生システムに、上記の仮想チャンネルの管理の方法を実行させる１つ又は複数のプログラムモジュールのプログラムコードを記憶したコンピューター可読記憶媒体を提供する。
【００１０】
更なる別の実施の形態は、表示ユニットと、記憶ユニットと、ネットワークユニットと、制御ユニットとを備える、仮想チャンネルを有するネットワークベースのマルチメディア再生システムを提供する。制御ユニットは前記ネットワークユニット及び前記表示ユニットに接続され、仮想チャンネル動作モードを提供するように、少なくとも前記ネットワークユニット及び前記表示ユニットを制御し、前記仮想チャンネル動作モードは、仮想チャンネルデータを管理する動作モード及び仮想チャンネルコンテンツを再生する動作モードを含む。同期基準が満たされる場合、前記制御ユニットは、前記ネットワークユニットを利用して、無線ネットワークの電子機器を検索し、前記ネットワークユニットを利用して、前記検索中に見つかった第１の電子機器とリンクし、前記ネットワークユニットを利用して、仮想チャンネルデータを前記第１の電子機器に無線で転送して、仮想チャンネルデータの同期を実行し、それにより、前記第１の電子機器が、前記仮想チャンネルデータに従って前記仮想チャンネルデータを管理する動作モードを提供するように前記ネットワークベースのマルチメディア再生システムを制御するように動作可能である。前記仮想チャンネルデータを管理する動作モードは複数の動作を含み、該複数の動作は、仮想チャンネルの追加動作、仮想チャンネルの削除動作、及び仮想チャンネルの修正動作を含み、前記仮想チャンネルデータは、仮想チャンネルに対応する属性データを含み、前記仮想チャンネルに対応する前記属性データは、少なくとも１つのオーディオ−ビデオソースリンクを含む。
【図面の簡単な説明】
【００１１】
【図１】コマンドを受信する、仮想チャンネルを有するネットワークベースのマルチメディア再生システムの概略図である。
【図２】仮想チャンネル動作モードを提供するネットワークベースのマルチメディア再生システムの概略図である。
【図３】仮想チャンネル管理のためのネットワークベースのマルチメディア再生システム及びハンドヘルドデバイスを示す概略図である。
【図４】ハンドヘルドデバイスで使用される仮想チャンネル管理の方法の一実施形態のフローチャートである。
【図５】ハンドヘルドデバイスで使用される仮想チャンネル管理の方法の別の実施形態のフローチャートである。
【図６】ネットワークベースのマルチメディア再生システムにおいて使用される仮想チャンネル管理の方法の一実施形態のフローチャートである。
【図７】仮想チャンネルを有する電子機器の基本構造の一実施形態を示すブロック図である。
【発明を実施するための形態】
【００１２】
本発明の上記の態様及び他の態様は、好ましいが、非限定的な実施形態についての以下の詳細な説明に関連してよりよく理解されるであろう。以下の説明は添付図面を参照して行われる。
【００１３】
図１を参照して、コマンドを受信する、仮想チャンネルを有するネットワークベースのマルチメディア再生システムの概略図を提供する。例えば、ネットワークベースのマルチメディア再生システムは、インターネットＴＶ、スマートＴＶ、ネットワークマルチメディアプレーヤー又はデバイス等、インターネット上のマルチメディアソースにリンクする（例えば、有線又は無線で）機能を有するディスプレイ及び／又は再生システムである。
【００１４】
図１に示されるように、仮想チャンネルは、ネットワークベースのマルチメディア再生システム１０内のアプリケーション（アプリケーション１１〜１４等）の動作モードに対応する。特定の仮想チャンネルを選択すると、対応するアプリケーション（又は幾つかの関連付けられたプログラム又はモジュール）がアクティブ化され、所望のコンテンツがネットワークベースのマルチメディア再生システムの画面上に表示される。アプリケーションは、実行されると、デジタルコンテンツを全画面又は他の割合で提示する。ネットワークベースのマルチメディア再生システム１０は、コントローラー２０（例えば、リモートコントローラー又はハンドヘルドデバイス等の電子機器）から送信されたコマンドを受信し、コマンドに仮想チャンネルの切り替えが関連付けられているか否かを判断する。例えば、ユーザーは仮想チャンネルのチャンネルコード１００１又は２００を押下して、ユーザーがアプリケーション１１を用いて特定のオンライン番組（例えば、ＹｏｕＴｕｂｅ(登録商標)上のビデオ）を視聴したいこと、又は電子メールプログラム１３を用いて特定の電子メールアカウントの受信箱内の電子メールを見たいことを示す。別の例では、コントローラー２０で実行されるチャンネルのジャンプ又はリターン、入力ソースの変更、お気に入りチャンネルリストの設定、又は電子番組ガイド（ＥＰＧ）の全てが、チャンネルの切り替えを始動させることができる。
【００１５】
図２を参照すると、仮想チャンネル動作モードを提供するネットワークベースのマルチメディア再生システムの概略図が示されている。仮想チャンネル動作モードは、仮想チャンネルデータを管理する動作モード及び仮想チャンネルコンテンツを再生する動作モードを含む。仮想チャンネルコンテンツを再生する動作モードは、図１に示されるように、テレビチャンネルを切り替えるか又は設定することにより仮想チャンネルコンテンツを再生する。仮想チャンネルデータを管理する動作モードは複数の動作を含み、当該複数の動作は、仮想チャンネルの追加動作、仮想チャンネルの削除動作、及び仮想チャンネルの修正動作を含む。ネットワークベースのマルチメディア再生システム１０は、これらの動作に応答して、対応する仮想チャンネルデータを生成又は変更する。
【００１６】
例えば、ユーザーは、キーワード（例えば、Oscar Ang Lee）を入力することにより、ネットワークベースのマルチメディア再生システム１０にキーワードに関するデジタルコンテンツを検索するように命令し、ここで、キーワードは、文字（複数の場合もある）、単語（複数の場合もある）、語句（複数の場合もある）、又は文（複数の場合もある）とすることができる。ネットワークベースのマルチメディア再生システム１０は、番組リストの形態で検索結果をネットワークベースのマルチメディア再生システム１０の画面Ｐ１上に提示する。ユーザーは仮想チャンネルの追加を実行することができ、続いて、ネットワークベースのマルチメディア再生システム１０は、新しい仮想チャンネルを追加し、チャンネルコード（例えば、番号１１０１又は代表される他のコード）を用いて、この仮想チャンネルを番組リストのコンテンツに関連付ける。ここから、ユーザーは、テレビチャンネルを切り替える方法を使用することにより、例えば、画面Ｐ２上に示されるように、仮想チャンネルのコンテンツを再生するためのチャンネルコード１１０１を入力することにより、仮想チャンネルのコンテンツを再生することができる。加えて、ユーザーは、仮想チャンネルの削除動作及び仮想チャンネルの修正動作を実行することもできる。仮想チャンネル管理の各例は、対応する仮想チャンネルデータを生成又は変更することができる。仮想チャンネルデータは、例えば、各仮想チャンネルに対応する属性データを含み、１つの仮想チャンネルに対応する属性データは１つ又は複数のオーディオ−ビデオソースリンクを含む。
【００１７】
図３を参照すると、概略図は、仮想チャンネル管理のためのネットワークベースのマルチメディア再生システム及びハンドヘルドデバイスを示している。図４は、ハンドヘルドデバイスにおいて使用される仮想チャンネル管理の方法の一実施形態のフローチャートを示す。この実施形態は、ユーザーが仮想チャンネルを管理するための電子機器２０１に適用することができ、したがって、ユーザーにとっての使用体験をよりよくするとともに、ネットワークベースのマルチメディア再生システム１０１の仮想チャンネルを用いての使用柔軟性を向上させる。本方法は、例えば、仮想チャンネル管理（仮想チャンネルの追加、削除、修正等）のアプリケーション（例えば、Ａｐｐ）として実現することができ、ｉＯＳ（登録商標）、Ａｎｄｒｏｉｄ（登録商標）、又はＷｉｎｄｏｗｓ（登録商標）等のオペレーティングシステムを利用する、スマートフォン、タブレットコンピューター等のポータブル電子機器で実行することができる。
【００１８】
ステップＳ１１０に示されるように、少なくとも１つのコマンド、例えば、テキスト入力又は音声入力のコマンドがアプリケーションにより検出される。ステップＳ１２０にあるように、上記少なくとも１つのコマンドに従って、アプリケーションにより電子機器２０１に記憶されている仮想チャンネルデータに対して管理が実行され、更新された仮想チャンネルデータ５０が生成される。更新仮想チャンネルデータ５０は、例えば、ＸＭＬ（拡張マークアップ言語）で仮想チャンネルデータのデータベース、仮想チャンネル番組のデータベースを規定する、番組リスト又はデータベースの形態である。仮想チャンネルデータに対して実行される管理は、複数の動作のうちの少なくとも１つを含み、当該複数の動作は、仮想チャンネルの追加動作、仮想チャンネルの削除動作、及び仮想チャンネルの修正動作を含む。
【００１９】
更新仮想チャンネルデータ５０が生成された後、ステップＳ１３０において、電子機器は、アプリケーションを使用することにより、任意のネットワークベースのマルチメディア再生システムを求めて無線ネットワークを検索するように制御される。ステップＳ１４０に示されるように、アプリケーションを使用することにより、検索により見つけられたネットワークベースのマルチメディア再生システム１０１にリンクするための接続要求が送信される。ステップＳ１５０に示されるように、更新仮想チャンネルデータは、ネットワークベースのマルチメディア再生システム１０１に無線で転送されて、仮想チャンネルデータの同期が実行される。それによって上で示されるように、ネットワークベースのマルチメディア再生システム１０１は、更新仮想チャンネルデータ５０に従って、仮想チャンネル動作モードを容易に提供するようになる。例えば、仮想チャンネルの属性データに従って、外部ネットワーク３０２（例えば、ビデオ共有ウェブサイト）からデジタルコンテンツＶＳ（例えば、ビデオ又はオーディオコンテンツ）を容易に取得するようになる。
【００２０】
ステップＳ１３０において、無線ローカルエリアネットワーク又はホームネットワーク等の内部ネットワークは、１つ又は複数の電子機器をネットワークベースのマルチメディア再生システムにリンクする。任意の他のネットワークベースのマルチメディア再生システム（複数の場合もある）が検索中に見つけられた場合、ステップＳ１４０及びＳ１５０を他のネットワークベースのマルチメディア再生システム（例えば、１０２）に対して再び実行することができる。
【００２１】
一実施形態では、ネットワークベースのマルチメディア再生システム１０１は、共用仮想チャンネルの動作モード及び個人用仮想チャンネルの動作モードを提供することができ、個人用仮想チャンネルは、関連付けられたユーザーによってのみ選択し再生することができ、共用仮想チャンネルは、全ユーザーにより選択し再生することができる。このようにして、あるユーザーのための電子機器２０１を使用することにより更新される仮想チャンネルデータ５０は、共用仮想チャンネルリスト及び個人用仮想チャンネルリストを含む。この実施形態によれば、例えば、ステップＳ１５０は以下のステップを含む。すなわち、ネットワークベースのマルチメディア再生システムとの共用仮想チャンネルリストの同期を実行するステップ及びネットワークベースのマルチメディア再生システムとの個人用仮想チャンネルリストの同期を実行するステップである。また、他の実施形態では、仮想チャンネルデータは、例えば、番組情報、サービス情報（インターネットでのウェブサイトサービスについての情報）、ユーザー情報を含み、同期は、例えば、仮想チャンネルデータの変更された部分に対して選択的に実行することができる。
【００２２】
一実施形態では、ステップＳ１１０において検出される少なくとも１つのコマンドは、第１の検索基準ＫＣの第１の仮想チャンネルの追加を示し、ここで、第１の検索基準ＫＣはキーワードを含む。したがって、ステップＳ１２０において仮想チャンネルデータを更新する動作は、仮想チャンネルの追加動作を含む。この実施形態では、ステップＳ１２０は図５におけるステップを更に含む。ステップＳ２１０に示されるように、電子機器２０１は、第１の検索基準ＫＣを満たす１つ又は複数の番組を求めて、電子機器２０１に記憶されている仮想チャンネルデータを検索して、第１の検索結果を取得する。ステップＳ２２０に示されるように、電子機器２０１は、第１の検索基準ＫＣを満たす外部ネットワークオーディオ−ビデオコンテンツを求めて検索して、第２の検索結果を取得する。ステップＳ２３０でのように、電子機器２０１は、第１の検索結果及び第２の検索結果を組み合わせることにより番組リストを生成し、ここで、番組リストはキーワードに対応する複数の番組を含む。ステップＳ２４０に示されるように、電子機器２０１は、仮想チャンネルを仮想チャンネルデータに追加することにより更新仮想チャンネルデータを生成し、ここで、仮想チャンネルの番組コンテンツは番組リストのコンテンツに対応する。
【００２３】
図５の実施形態をハンドヘルドデバイスに適用して、ユーザーが、スマートフォン等の電子機器を使用して内部及び外部ネットワークを検索することにより、関心のある話題についての仮想チャンネルを追加することができるように、ネットワークベースのマルチメディア再生システム１０１のチャンネルコンテンツを管理することができる。このようにして、ユーザーが随時どこでも仮想チャンネルを管理することは、便利であり、柔軟性がある。ユーザーは、外出しており、ハンドヘルドデバイスがネットワークベースのマルチメディア再生システム１０１から切断されている状態であっても、仮想チャンネルを管理することができる。
【００２４】
ステップＳ２１０及びＳ２２０において、第１の検索基準ＫＣは、プロバイダ、コンテンツが提供される時間（日時）、又はコンテンツの持続時間等の検索すべき別のデータ項目を更に含むことができる。ステップＳ２１０において、第１の検索結果（ローカル）は、第１の検索基準ＫＣを満たす番組属性データのセットである。ステップＳ２２０において、第１の検索基準ＫＣを満たす外部ネットワークビデオ／オーディオコンテンツは、リンク表示（ＵＲＬ、ＩＰアドレス、又は他のアドレス指定様式等）と、電子機器２０１を使用して、例えば、外部ネットワーク３０２（インターネット又はデフォルトウェブサイト（複数の場合もある）等）のビデオ提供プラットフォーム（１つ若しくは複数のウェブサイト等）又は検索エンジンウェブサイト（複数の場合もある）を検索することにより見つけられたビデオ（又はデジタルコンテンツ）の属性とを含む。これらのリンク表示及び属性は、ＸＭＬ、ＨＴＭＬ、又は他の様式の形態の第２の検索結果（外部）とみなされ、プラットフォーム又はネットワークから電子機器２０１に返信される。電子機器２０１は、無線通信ネットワーク（３Ｇ、ＬＴＥ、若しくは４Ｇネットワーク等）又は無線ローカルエリアネットワーク（Ｗｉ−Ｆｉ等）等の内部ネットワーク等を通して外部ネットワーク（インターネット等）にリンクする。
【００２５】
ステップＳ２３０において、電子機器２０１による第１の検索結果（ローカル）及び第２の検索結果（外部）の組み合わせ及び番組リストの生成は、ユーザーの方法若しくはお気に入りの設定に従って、及び／又は第１の検索基準を満たす最新で最良の項目を提供する目的で実行することができる。例えば、配列は、発行時間（日時）、関連の程度、又はビデオの時間長等の何らかの種類の順序で実行することができる。
【００２６】
さらに、図５に基づく他の実施形態では、ステップＳ２３０において生成される番組リストは、ユーザーが再生すべき番組の順序を編集又は変更するために、電子機器２０１の画面（例えば、タッチスクリーン）上に表示することができる。
【００２７】
さらに、他の実施形態では、ステップＳ１３０〜Ｓ１４０を実行する必要がなく、代わりにステップＳ１５０が、仮想チャンネルの同期のためにネットワークベースのマルチメディア再生システム１０１により実行されることが示される。
【００２８】
さらに、他の実施形態では、ネットワークベースのマルチメディア再生システム１０１は、ユーザーの電子機器との仮想チャンネルデータの同期を実行するために、同期基準が満たされているか否かを判断することができる。図６を参照すると、フローチャートが、ネットワークベースのマルチメディア再生システムにおいて使用される仮想チャンネル管理の方法の一実施形態を示している。説明の便宜上、図７を参照すると、ブロック図が、仮想チャンネルを有する電子機器の基本構造の一実施形態を示している。図７では、ネットワークベースのマルチメディア再生システム１０１は、表示ユニット１１０、記憶ユニット１２０、制御ユニット１３０、ネットワークユニット１４０、及びコマンド検出ユニット１５０を含み、制御ユニットは表示ユニット１１０及びネットワークユニット１４０に接続されている。設計要件に応じて、ネットワークベースのマルチメディア再生システム１０１は、他のデバイスを更に含むことができる。他のデバイスとは、例えば、アナログ又はデジタルテレビチューナー及びテレビ信号処理回路等を含むテレビ受信ユニット、例えば、オーディオプロセッサ、増幅器、及びスピーカー等を含むオーディオユニットである。コマンド検出ユニット１５０は、物理的なボタンを有する有線若しくは無線のリモートコントローラーを備えた受信器、又は音声認識、顔認識、若しくはジェスチャー認識のための検出デバイスである。
【００２９】
再び図６を参照すると、ネットワークベースのマルチメディア再生システム１０１は、例えば、ステップＳ３１０に示されるように、仮想チャンネル動作モードを提供するために、制御ユニット１３０により、少なくともネットワークユニット１４０及び表示ユニット１１０を制御する。ここで、仮想チャンネル動作モードは、仮想チャンネルデータを管理する動作モード及び仮想チャンネルコンテンツを再生する動作モードを含む。ステップＳ３２０に示されるように、例えば、制御ユニット１３０を使用することにより、同期基準が満たされるか否かが判断される。同期基準が満たされる場合、本方法はステップＳ３３０〜Ｓ３５０に進む。このとき、例えば、制御ユニット１３０は、ネットワークユニット１４０を用いてこれらのステップを実行するようにネットワークベースのマルチメディア再生システム１０１を制御する。ステップＳ３３０に示されるように、無線ネットワークの電子機器の検索が実行される。ステップＳ３４０に示されるように、検索から見つけられた第１の電子機器（例えば、２０１）とのリンクが生成される。ステップＳ３５０に示されるように、仮想チャンネルデータの同期が、仮想チャンネルデータ（図３の６０等）を第１の電子機器に無線で転送することにより実行され、それにより、第１の電子機器は、仮想チャンネルデータ６０に従って仮想チャンネルデータを管理する動作モードを提供する。任意の他の電子機器がステップＳ３３０において見つけられる場合、他の各電子機器に対してステップＳ３４０及びＳ３５０が再び実行される。
【００３０】
一実施形態では、物理的物体がネットワークベースのマルチメディア再生システムの近傍にある場合、ステップＳ３２０の同期基準が満たされる。したがって、本方法は、ネットワークベースのマルチメディア再生システムの検出ユニットにより、物理的物体がある範囲（例えば、屋内領域を画定する範囲又はシステムから或る距離内の範囲）内にあるか否かを検出することを更に含む。このとき、同期基準は、物理的物体がその範囲内にあるか否かであり、物理的物体がその範囲内にある場合、同期基準が満たされる。例えば、物理的物体は人体、人体の一部、又は電子機器であり、検出ユニットは人体検出器、人面認識検出器、又は近距離通信検出器である。例えば、検出ユニットは音声検出器又はマイクロホンであり、音声の変化を検出することにより、ユーザーが上記範囲内にいるか否かを検出する。さらに、上記状況で実行される同期は「アクティブ転送」モードと呼ぶことができる。
【００３１】
別の一実施形態では、例えば、仮想チャンネルデータが変更された場合、ステップＳ３２０における同期基準が満たされる。したがって、本方法は、仮想チャンネルデータがネットワークベースのマルチメディア再生システムにおいて変更されたか否かを判断することを更に含む。このとき、同期基準は、仮想チャンネルデータが変更されたか否かであり、仮想チャンネルデータが変更された場合、同期基準が満たされる。一例では、仮想チャンネルデータは、ネットワークベースのマルチメディア再生システムにおいて仮想チャンネルデータに対する管理が実行されることにより変更され、ここで、仮想チャンネルデータに対する管理は、仮想チャンネルデータ管理の動作モードの、仮想チャンネルの追加、削除、修正動作等の動作のうちの少なくとも１つを含む。すなわち、ユーザーがネットワークベースのマルチメディア再生システムにおいて仮想チャンネル管理を実行する場合、又はシステムが仮想チャンネルデータを自動的に変更する場合、同期を始動して実行することができる。上記状況において実行される同期は「即時転送」モードと呼ぶことができる。
【００３２】
さらに、電子機器において使用される仮想チャンネル管理のための図４に示される方法により実行される同期は、ネットワークベースのマルチメディア再生システムに関して「パッシブ転送」と見なすことができる。ネットワークベースのマルチメディア再生システムは、同期の「パッシブ転送」モードが行われた後、新たに追加された仮想チャンネルの番組コンテンツが再生されるように実装することができる。
【００３３】
他の実施形態では、ネットワークベースのマルチメディア再生システムは、「アクティブ転送」モード、「即時転送」モード、「パッシブ転送」モードを実施するために、電子機器にリンクする前に、電子機器がネットワークベースのマルチメディア再生システムに記録されたユーザー情報に対応するか否かをチェックすることにより、電子機器にリンクすべきか否かを判断することができる。加えて、内部ネットワークの任意の電子機器の検索に関して、検索は、ネットワークベースのマルチメディア再生システムに登録された電子機器のみに対して行うことができる。すなわち、検索はシステム内に記録を有する任意の電子機器（複数の場合もある）に対して行われる。さらに、仮想チャンネルデータの同期中、例えば、次の同期に使用するために、ユーザーの同期設定又は仮想チャンネルのタイムスタンプも更新することができる。さらに、幾つかの実施形態では、ネットワークベースのマルチメディア再生システム及び電子機器は、仮想チャンネルデータ、検索結果、番組リスト、又はデータベース等に対する意味解析のためのモジュール（複数の場合もある）を個々に実施することができ（例えば、実行に制御ユニットを使用して）、それにより、ネットワークベースのマルチメディア再生システム及び電子機器により生成されるデータを適宜解釈して、上記方法に示されるように利用することができる。
【００３４】
加えて、図７を参照すると、ネットワークベースのマルチメディア再生システム１０１がネットワークベースのマルチメディアプレーヤー（例えば、Ａｐｐｌｅ  ＴＶ（登録商標）、ネットワークセットアップボックス等のデジタルマルチメディア受信器）として実現される場合、表示ユニット１１０は、当該ネットワークベースのマルチメディアプレーヤーに統合された表示画面として実現することができ、又は有線若しくは無線で当該ネットワークベースのマルチメディアプレーヤーに接続された表示画面とみなすことができる。したがって、ネットワークベースのマルチメディア再生システム１０１の実施方法は、図７のシステムに限定されず、例えば、制御ユニット１３０は、表示ユニット１１０に接続することができるとともに、メモリバスを通してメモリ又は他の機器（例えば、オーディオユニット）に接続することができる。上記説明において述べられた構造は説明の便宜のためのものであり、実施はこれに限定されない。
【００３５】
又、電子機器２０１は、例えば、タッチパネルを用いて図７又は他の構造に基づいて実施することができ、その場合、シングルコア又はマルチコアプロセッサとすることができる制御ユニット１３０は、アプリケーションを実行して図４又は図５に示される仮想チャンネル管理方法の実施形態を実行するように表示ユニット１１０及びネットワークユニット１４０を制御する。
【００３６】
他の実施形態は、プログラムコード又は１つ若しくは複数のプログラム若しくはプログラムモジュールが記憶されたコンピューター又は電子機器が読み取り可能な記憶媒体を提供する。例えば、図４、図５、又は図６のステップはプログラムモジュールとして実施することができる。図４による実施形態を電子機器のアプリケーションとして実施することができる例では、アプリケーションは、ステップＳ１２０を実施する仮想チャンネル管理モジュール（又は構成要素）、ステップＳ１３０〜Ｓ１５０を実施する仮想チャンネル同期モジュール（又は構成要素）、ステップＳ２１０〜Ｓ２３０を実施する仮想チャンネル番組読み出しモジュール（又は構成要素）、ステップＳ２４０を実施する仮想チャンネル記憶モジュール（又は構成要素）を含むことができる。電子機器は、アプリケーションを実行するとき、図４若しくは図５の実施形態又は他の関連実施形態による仮想チャンネル管理の方法を実行する。図６による実施形態は、ネットワークベースのマルチメディア再生システムのためのシステム又はアプリケーションソフトウェアとして実現することができる。ネットワークベースのマルチメディア再生システムは、そのようなソフトウェアを実行する場合、図６の実施形態又は他の関連実施形態による仮想チャンネル管理の方法を実行する。各実施形態での可読情報記憶媒体は、限定ではなく、光学情報記憶媒体、磁気情報記憶媒体、又は、メモリカード、ファームウェア、ＲＯＭ若しくはＲＡＭ若しくはプログラマブルマイクロコントローラー内の内蔵メモリ等のメモリにより実施することができる。
【００３７】
上記実施形態の実際的な用途では、任意の家族メンバー又はグループメンバーが、スマートフォン又はタブレットコンピューター等の電子機器を利用して、仮想チャンネルを管理し、ネットワークベースのマルチメディア再生システムとの仮想チャンネルデータの同期を実行することができる。加えて、異なる位置又は家の異なる部屋にあるネットワークベースのマルチメディア再生システムが、仮想チャンネルデータについて同期することができる。このようにして、家族又はグループの仮想チャンネルの動作を一貫させることができ、電子機器がネットワークベースのマルチメディア再生システムに接続又は切断されている間に、ネットワークビデオを収集する任意の個人は、ネットワークビデオを仮想チャンネルの形態で他のメンバーと共有することができる。したがって、ユーザーは、よりよい使用体験を得ることができ、ネットワークベースのマルチメディア再生システムのための仮想チャンネルの使用は、より高い利便性及び柔軟性を有することができる。
【００３８】
本発明を、例示により好ましい実施形態に関して説明したが、本発明がこれに限定されないことを理解されたい。逆に、様々な変更並びに同様の構成及び手順を包含することが意図され、したがって、添付の特許請求の範囲は、そのような全ての変更並びに同様の構成及び手順を包含するように最も広義の解釈を与えられるべきである。
【図１】
2014176082.tif 000003
【図２】
2014176082.tif 000004
【図３】
2014176082.tif 000005
【図４】
2014176082.tif 000006
【図５】
2014176082.tif 000007
【図６】
2014176082.tif 000008
【図７】
2014176082.tif 000009